【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
ワークピースを通る開口によって規定された壁面への取り付けに適用されるナット板であって、ナットと、保持ブラケットと、ステムと、固定手段とを備え、
ナットは、そこを通る開口を有し、
保持ブラケットは、筒状部分とブラケット部分を有し、前記筒状部分は、第１の端部と第２の端部を有し、前記ブラケット部分は、前記筒状部分の第１の端部から延び、前記筒状部分は、外壁と内壁を有し、前記外壁は、前記筒状部分の第１の端部から前記筒状部分の第２の端部まで延び、前記外壁は、そこから外側に延びる複数のローブを有し、前記複数のローブは、高いローブと低いローブを含み、前記高いローブは、前記低いローブよりもさらに前記外壁から外側に延び、各前記高いローブは、前記ブラケット部分の下面付近に折り曲げ部分を有し、各前記高いローブは、前記ブラケット部分の下面付近の前記外壁から、前記筒状部分の第２の端部からよりもさらに離れて延び、前記内壁は、前記筒状部分の第１の端部から前記筒状部分の第２の端部まで延び、前記内壁は、前記筒状部分を通って延びる開口によって規定され、前記内壁は、前記筒状部分の第１の端部における開口の直径が前記筒状部分の第２の端部における開口の直径よりも大きくなるようにテーパ付けされ、前記筒状壁面の開口は、前記ナットの開口と連通し、
ステムは、拡大ヘッド部分と、そこから延びた長尺部分とを有し、前記ステムは、前記筒状部分の開口内に位置決めされ、前記筒状部分の外壁が、前記ワークピースの壁面と係合するように強制されるように、前記ステムの軸方向移動時に、前記筒状部分の内壁を拡張するために、前記拡大ヘッド部分は、前記筒状部分の前記開口を通って前記第１の端部から前記第２の端部に移動するように構成され、前記ローブは、ステムよる前記内壁の拡張時に、ワークピースの壁内に埋め込まれることが可能であり、
固定手段は、前記ナットを前記ブラケット部分内で固定するためのものであり、前記固定手段は、前記ブラケット部分内で前記ナットの制限された移動を可能にするものであることを特徴とするナット板。
【請求項２】
前記筒状部分の第１の端部の直径は、実質的に不変であり、前記筒状部分の第２の端部の直径は、実質的に不変であり、前記拡大ヘッド部分は、第１の端部付近の前記筒状部分の前記開口内の少なくとも一部に位置するように位置決めされ、前記第１の端部付近の前記筒状部分の前記開口に概ね補足的な形状を有することを特徴とする請求項１に記載のナット板。
【請求項３】
ナットは、ベース部分と、このベース部分から上向きに延びた部分とを有し、前記上向きに延びた部分は、円筒形であって、前記ナットを通って設けられた開口は、前記上向きに延びた部分の内壁を規定し、前記上向きに延びた部分の内壁はネジ切りされていることを特徴とする請求項１に記載のネット板。
【請求項４】
前記保持ブラケットの筒状部分と前記保持ブラケットのブラケット部分は、一体的に形成されていることを特徴とする請求項１に記載のナット板。
【請求項５】
前記筒状部分の内壁は、前記筒状部分の第１の端部付近に肩部を更に規定し、前記筒状部分の第１の端部における開口の直径は、前記肩部における開口の直径よりも大きく、前記肩部における開口の直径は、前記筒状部分の第２の端部における開口の直径よりも大きいことを特徴とする請求項１に記載のナット板。
【請求項６】
前記ステムの拡大ヘッド部分は、前記肩部における開口の直径よりは大きいが、前記筒状部分の第１の端部における開口の直径よりは小さい直径を有し、前記ステムの拡大ヘッド部分は、前記肩部上に落ち着くことが可能であることを特徴とする請求項５に記載のナット板。
【請求項７】
前記内壁は、前記筒状部分の第２の端部にリップを更に規定し、これにより前記筒状部分の第２の端部における開口の直径が減少されることを特徴とする請求項１に記載のナット板。
【請求項８】
各前記ローブは、前記ブラケット部分の下面から前記筒状部分の第２の端部へ延びていることを特徴とする請求項１に記載のナット板。
【請求項９】
隣接するローブは、ギャップによって分離されていることを特徴とする請求項１に記載のナット板。
【請求項１０】
前記ステムの拡大ヘッド部分は、前記拡大ヘッド部分が幾何学的に関連したサイズに変形することを可能にする材料で形成され、前記拡大ヘッド部分は、前記拡大ヘッド部分が前記筒状部分の前記開口を前記第２の端部側に出るまで、前記筒状部分の内壁を拡張し続けるものであることを特徴とする請求項１に記載のナット板。
【請求項１１】
前記ステムの拡大ヘッド部分は、その中に設けられた空洞を有し、前記拡大ヘッド部分の空洞は、前記拡大ヘッド部分の変形を助けることが可能であることを特徴とする請求項１０に記載のナット板。
【請求項１２】
前記ブラケット部分は、前記筒状部分の第１の端部から外側に延びるベース部分と、前記ベース部分から前記筒状部分とは逆方向に突出した対向する側壁とを有し、前記対向する側壁は、前記ナットを受けるための空間を規定することを特徴とする請求項１に記載のナット板。
【請求項１３】
前記ブラケット部分の各前記側壁は、そこを通るスロットを有し、前記固定手段は、前記ナットの少なくとも一部に嵌合する柔軟なリテイナーを含み、前記リテイナーは、前記対向する側壁のスロットのそれぞれの中に突出する部分を有することを特徴とする請求項１２に記載のナット板。
【請求項１４】
前記ブラケット部分のベース部分は、前記ブラケット部分のベース部分から前記筒状部分とは逆方向に突出した突起を有し、前記ナットの少なくとも一部は、対向する端部に設けられた凹部を有し、前記対向する端部の凹部は、前記突起を受けて、前記ブラケット部分に対する前記ナットの移動を制限することが可能であることを特徴とする請求項１３に記載のナット板。
【請求項１５】
前記ナットのベース部分は、そこから延びた少なくとも１つのタブ部材を有した対向する端部を有し、前記固定手段は、前記ナットのタブ部材を受けるための少なくとも１つの開口を各前記側壁に有することを特徴とする請求項１２に記載のナット板。
【請求項１６】
前記側壁の少なくとも１つは、柔軟な材料で形成され、前記少なくとも１つの側壁は、前記他の側壁から離れるように曲って、前記ナットのタブ部材が前記側壁の開口に受け入れられることを可能にすることを特徴とする請求項１５に記載のナット板。
【請求項１７】
前記保持ブラケットは、分離して形成されたブラケットとスリーブとからなり、前記ブラケットは、そこを通る開口を有し、前記対向する側壁は、そこを通るスロットを有し、前記スリーブは、筒状部分と、その一端の拡大ヘッドとを有し、前記筒状部分は、前記ブラケットの開口を通して延び、これにより前記スリーブの拡大ヘッドが前記ブラケット上に位置決めされ、前記拡大ヘッドは、前記筒状部分の対向する側壁のスロットを通して延びることを特徴とする請求項１６に記載のナット板。
【請求項１８】
前記筒状部分は、ワークピースの壁の長さより小さい長さを有し、これにより前記筒状部分の第２の端部は、ワークピースの開口の外へは延びないことを特徴とする請求項１に記載のナット板。
【請求項１９】
前記内壁は、周辺を有し、前記内壁は、前記周辺の周りが実質的に連続してテーパ付けされていることを特徴とする請求項１に記載のナット板。
【請求項２０】
前記内壁は、前記周辺全体に亘ってテーパ付けされていることを特徴とする請求項１９に記載のナット板。
【請求項２１】
前記第１の端部の直径は、不変であり、前記第２の端部の直径は、不変であることを特徴とする請求項１に記載のナット板。
【請求項２２】
前記固定手段は、前記ブラケット部分内の三次元で前記ナットの制限された移動を可能にするものであることを特徴とする請求項１に記載のナット板。
【請求項２３】
リップ部分が前記第２の端部付近の前記内壁の実質的な周りに延び、前記開口の減少した直径部分が前記リップの間に設けられていることを特徴とする請求項１に記載のナット板。
【請求項２４】
ワークピースを通る開口によって規定された壁面への取り付けに適用されるナット板であって、ナットと、保持ブラケットと、ステムと、固定手段とを備え、
ナットは、そこを通る開口を有し、
保持ブラケットは、筒状部分とブラケット部分を有し、前記筒状部分は、第１の端部と第２の端部を有し、前記ブラケット部分は、前記筒状部分の第１の端部から延び、前記筒状部分は、外壁と内壁を有し、前記外壁は、前記筒状部分の第１の端部から前記筒状部分の第２の端部まで延び、前記外壁は、そこから外側に延びる複数のローブを有し、前記複数のローブは、高いローブと低いローブを含み、前記高いローブは、前記低いローブよりもさらに前記外壁から外側に延び、各前記高いローブは、２つの低いローブの間に位置決めされ、各前記低いローブは、２つの高いローブの間に位置決めされ、前記内壁は、前記筒状部分の第１の端部から前記筒状部分の第２の端部まで延び、前記内壁は、前記筒状部分を通って延びる開口によって規定され、前記内壁は、前記筒状部分の第１の端部における開口の直径が前記筒状部分の第２の端部における開口の直径よりも大きくなるようにテーパ付けされ、前記筒状壁面の開口は、前記ナットの開口と連通し、
ステムは、拡大ヘッド部分と、そこから延びた長尺部分とを有し、前記ステムは、前記筒状部分の開口内に位置決めされ、前記筒状部分の外壁が、前記ワークピースの壁面と係合するように強制されるように、前記ステムの軸方向移動時に、前記筒状部分の内壁を拡張するために、前記拡大ヘッド部分は、前記筒状部分の前記開口を通って前記第１の端部から前記第２の端部に移動するように構成され、前記ローブは、ステムよる前記内壁の拡張時に、ワークピースの壁内に埋め込まれることが可能であり、
固定手段は、前記ナットを前記ブラケット部分内で固定するためのものであり、前記固定手段は、前記ブラケット部分内で前記ナットの制限された移動を可能にするものであることを特徴とするナット板。
【請求項２５】
ワークピースを通る開口によって規定された壁面への取り付けに適用されるナット板の筒状部分であって、前記筒状部分は、前記ワークピースの開口内に適合するサイズに形成され、前記筒状部分は、外壁と、内壁とを有し、
外壁は、概ね前記筒状部分の第１の端部から前記筒状部分の第２の端部へ延び、前記外壁は、そこから外側に延びる複数のローブを有し、前記複数のローブは、高いローブと低いローブを含み、前記高いローブは、前記低いローブよりもさらに前記外壁から外側に延び、各前記高いローブは、前記筒状部分の第１の端部付近に折り曲げ部分を有し、各前記高いローブは、前記筒状部分の第１の端部付近の前記外壁から、前記筒状部分の第２の端部からよりもさらに離れて延び、
内壁は、前記筒状部分の第１の端部から前記筒状部分の第２の端部へ延び、前記内壁は、前記筒状部分を通って延びる開口によって規定され、前記内壁は、テーパ付けされ、これにより前記筒状部分の第１の端部における開口の直径が前記筒状部分の第２の端部における開口の直径よりも大きくなり、
前記筒状部分の開口は、そこを通してステムを受け入れて、前記筒状部分の内壁を拡張することが可能であり、これにより前記筒状部分の外壁が前記ワークピースの開口と係合するように強制されおり、前記ローブは、ステムよる前記内壁の拡張時に、ワークピースの壁内に埋め込まれることが可能であることを特徴とする筒状部分。
【請求項２６】
ワークピースを通る開口によって規定された壁面への取り付けに適用されるナット板の筒状部分であって、前記筒状部分は、前記ワークピースの開口内に適合するサイズに形成され、前記筒状部分は、外壁と、内壁とを有し、
外壁は、概ね前記筒状部分の第１の端部から前記筒状部分の第２の端部へ延び、前記外壁は、そこから外側に延びる複数のローブを有し、前記複数のローブは、高いローブと低いローブを含み、前記高いローブは、前記低いローブよりもさらに前記外壁から外側に延び、各前記高いローブは、２つの低いローブの間に位置決めされ、各前記低いローブは、２つの高いローブの間に位置決めされ、
内壁は、前記筒状部分の第１の端部から前記筒状部分の第２の端部へ延び、前記内壁は、前記筒状部分を通って延びる開口によって規定され、前記内壁は、テーパ付けされ、これにより前記筒状部分の第１の端部における開口の直径が前記筒状部分の第２の端部における開口の直径よりも大きくなり、
前記筒状部分の開口は、そこを通してステムを受け入れて、前記筒状部分の内壁を拡張することが可能であり、これにより前記筒状部分の外壁が前記ワークピースの開口と係合するように強制されおり、前記ローブは、ステムよる前記内壁の拡張時に、ワークピースの壁内に埋め込まれることが可能であることを特徴とする筒状部分。
【請求項２７】
ワークピースを通る開口によって規定された壁面への取り付けに適用されるナット板の筒状部分であって、前記筒状部分は、前記ワークピースの開口内に適合するサイズに形成され、前記筒状部分は、外壁と、内壁とを有し、
外壁は、前記筒状部分の第１の端部から前記筒状部分の第２の端部へ延び、前記外壁は、そこから外側に延びる複数のローブを有し、前記ローブの少なくとも一部分は、前記筒状部分の前記第１の端部付近の折り曲げ部分を有し、折り曲げ部分を有する各ローブは、前記筒状部分の前記第１の端部付近の前記外壁から、前記筒状部分の前記第２の端部からよりもさらに離れて延び、Ｉ前記複数のローブは、高いローブと低いローブを含み、前記高いローブは、前記低いローブよりもさらに前記外壁から外側に延びており、各前記高いローブは、前記筒状部分の第１の端部付近に前記折り曲げ部分を有し、各前記高いローブは、前記筒状部分の第１の端部付近の前記外壁から、前記筒状部分の第２の端部からよりもさらに離れて延びており、
内壁は、前記筒状部分の第１の端部から前記筒状部分の第２の端部へ延び、前記内壁は、前記筒状部分を通って延びる開口によって規定され、
前記筒状部分の開口は、そこを通してステムを受け入れて、前記筒状部分の内壁を拡張することが可能であり、これにより前記筒状部分の外壁が前記ワークピースの開口と係合するように強制されおり、前記ローブは、ステムよる前記内壁の拡張時に、ワークピースの壁内に埋め込まれることが可能であることを特徴とする筒状部分。
【請求項２８】
前記内壁は、前記筒状部分を通って延びる開口によって規定され、前記内壁は、前記筒状部分の第１の端部における開口の直径が前記筒状部分の第２の端部における開口の直径よりも大きくなるようにテーパ付けされ、前記第１の端部の直径は、実質的に不変であり、前記第２の端部の直径は、実質的に不変であり、前記内壁は、前記筒状部分の第１の端部付近に肩部を更に規定し、それにより前記筒状部分の第１の端部における開口の直径は、前記肩部における開口の直径よりも大きく、前記肩部における開口の直径は、前記筒状部分の第２の端部における開口の直径よりも大きく、前記筒状部分の前記開口は、前記肩部及び前記第１の端部付近の前記筒状部分の前記開口の形状に対して概ね補足的であることを特徴とする請求項２７に記載の筒状部分。
【請求項２９】
各前記ローブは、前記筒状部分の第１の端部付近から前記筒状部分の第２の端部へ延びていることを特徴とする請求項２７に記載の筒状部分。
【請求項３０】
隣接するローブは、ギャップによって分離されていることを特徴とする請求項２７に記載の筒状部分。
【請求項３１】
前記筒状部分は、ワークピースの壁の長さより小さい長さを有し、これにより前記筒状部分の第２の端部は、ワークピースの開口の外へは延びないことを特徴とする請求項２７に記載の筒状部分。
【請求項３２】
前記内壁は、前記筒状部分の前記第１の端部から前記筒状部分の前記第２の端部に向かって内側にテーパ付けされ、前記第１の端部の前記筒状部分の開口は、前記第２の端部の前記筒状部分の前記開口の直径よりも大きな直径を有することを特徴とする請求項２７に記載の筒状部分。
【請求項３３】
前記内壁は、周辺を有し、前記内壁は、前記周辺の周りが実質的に連続してテーパ付けされていることを特徴とする請求項２７に記載の筒状部分。
【請求項３４】
前記内壁は、前記周辺全体に亘ってテーパ付けされていることを特徴とする請求項３３に記載の筒状部分。
【請求項３５】
前記第１の端部の直径は、不変であり、前記第２の端部の直径は、不変であることを特徴とする請求項２７に記載の筒状部分。
【請求項３６】
リップ部分が前記第２の端部付近の前記内壁の実質的な周りに延び、前記開口の減少した直径部分が前記リップの間に設けられていることを特徴とする請求項２７に記載の筒状部分。
【請求項３７】
ワークピースを通る開口によって規定された壁面への取り付けに適用されるナット板の筒状部分であって、前記筒状部分は、前記ワークピースの開口内に適合するサイズに形成され、前記筒状部分は、外壁と、内壁とを有し、
外壁は、前記筒状部分の第１の端部から前記筒状部分の第２の端部へ延び、前記外壁は、そこから外側へ延びる複数のローブを有し、前記ローブの少なくとも一部は、前記筒状部分の第１の端部付近に折り曲げ部分を有し、折り曲げ部分を有する各前記ローブは、前記筒状部分の第１の端部付近の前記外壁から、前記筒状部分の第２の端部からよりもさらに離れて延び、前記複数のローブは、高いローブと低いローブを含み、前記高いローブは、前記低いローブよりもさらに前記外壁から外側に延び、各前記高いローブは、２つの低いローブの間に位置決めされ、各前記低いローブは、２つの高いローブの間に位置決めされ、
内壁は、前記筒状部分の第１の端部から前記筒状部分の第２の端部へ延び、前記内壁は、前記筒状部分を通って延びる開口によって規定され、
前記筒状部分の開口は、そこを通してステムを受け入れて、前記筒状部分の内壁を拡張することが可能であり、これにより前記筒状部分の外壁が前記ワークピースの開口と係合するように強制され、前記ローブは、ステムよる前記内壁の拡張時に、ワークピースの壁内に埋め込まれることが可能であることを特徴とする筒状部分。
【請求項３８】
前記内壁は、前記筒状部分の前記第１の端部から前記筒状部分の前記第２の端部に向かって内側にテーパ付けされ、前記第１の端部の前記筒状部分の開口は、前記第２の端部の前記筒状部分の前記開口の直径よりも大きな直径を有することを特徴とする請求項３７に記載の筒状部分。
【請求項３９】
プリアセンブル式ナット板であって、保持ブラケットと、ステムと、ナット部材と、固定手段とを備え、
保持ブラケットは、筒状部分とブラケット部分を有し、前記筒状部分は、第１の端部と第２の端部を有し、前記ブラケット部分は、前記筒状部分の第１の端部から延び、前記筒状部分は、いずれもが前記筒状部分の第１の端部から前記筒状部分の前記第２の端部に延びる外壁及び内壁を含み、前記外壁は、そこから外側へ延びる複数のローブを有し、前記複数のローブは、高いローブと低いローブを含み、前記高いローブは、前記低いローブよりもさらに前記外壁から外側に延び、各高いローブは、前記ブラケット部分の下面付近に折り曲げ部分を有し、各前記高いローブは、前記ブラケット部分の下面付近の前記外壁から、前記筒状部分の第２の端部からよりもさらに離れて延び、前記内壁は、前記筒状部分を通って延びる開口によって規定され、前記内壁は、前記筒状部分の第１の端部における開口の直径が前記筒状部分の第２の端部における開口の直径よりも大きくなるようにテーパ付けされ、前記第１の端部の直径は、実質的に不変であり、前記第２の端部の直径は、実質的に不変であり、
ステムは、拡大ヘッド部分と、そこから延びた長尺部分とを有し、前記拡大ヘッド部分は、第１の端部付近の前記筒状部分の前記開口内の少なくとも一部に位置するように位置決めされ、前記第１の端部付近の前記筒状部分の前記開口に概ね補足的な形状を有し、前記長尺部分は、前記筒状部分を通り且つ前記筒状部分の第２の端部を超えて延び、前記長尺部分は、前記ステムの軸方向移動時に、前記筒状部分の内壁を拡張するために、前記筒状部分の前記開口を通って前記第１の端部から前記第２の端部に移動するように構成され、
前記ナット部材は、そこを通る開口を有し、前記ナット部材は、前記ブラケット内に位置決めされ、
固定手段は、前記ナット部材を前記ブラケット部分内に固定し、前記固定手段は、前記ブラケット部分内で前記ナット部材の制限された移動を可能にし、前記ブラケット部分内での前記ナット部材の固定は、前記ステムの実質的な移動を防止し、これにより前記ステムは前記ブラケット部分を通して前記筒状部分から取り外されないものであることを特徴とするプリアセンブル式ナット板。
【請求項４０】
前記保持ブラケットの筒状部分と前記保持ブラケットのブラケット部分は、一体的に形成されていることを特徴とする請求項３９に記載のプリアセンブル式ナット板。
【請求項４１】
前記筒状部分を通して設けられた開口は、前記筒状部分の内壁を規定し、前記筒状部分の内壁は、前記筒状部分の第１の端部付近の肩部を規定し、これにより前記筒状部分の第１の端部における開口の直径は、前記肩部における開口の直径よりも大きくなることを特徴とする請求項３９に記載のプリアセンブル式ナット板。
【請求項４２】
前記ステムの拡大ヘッド部分は、前記肩部における開口の直径よりは大きいが、前記筒状部分の第１の端部における開口の直径よりは小さい直径を有し、前記ステムの拡大ヘッド部分は、前記肩部上に落ち着くことが可能であることを特徴とする請求項４１に記載のプリアセンブル式ナット板。
【請求項４３】
前記ブラケット部分は、前記筒状部分の第１の端部から外側に延びるベース部分と、前記ベース部分から前記筒状部分とは逆方向に突出した対向する側壁とを有し、前記対向する側壁は、前記ナット部材を位置決めのための空間を規定することを特徴とする請求項３９に記載のプリアセンブル式ナット板。
【請求項４４】
前記ブラケット部分の各前記側壁は、そこを通るスロットを有し、前記固定手段は、前記ナットの少なくとも一部に嵌合する柔軟なリテイナーを含み、前記リテイナーは、前記対向する側壁のスロットのそれぞれの中に突出する部分を有することを特徴とする請求項４３に記載のプリアセンブル式ナット板。
【請求項４５】
前記ブラケット部分のベース部分は、前記ブラケット部分のベース部分から前記筒状部分とは逆方向に突出した突起を有し、前記ナット部材の少なくとも一部は、対向する端部に設けられた凹部を有し、前記対向する端部の凹部は、前記突起を受けて、前記ブラケット部分に対する前記ナット部材の移動を制限することが可能であることを特徴とする請求項４４に記載のプリアセンブル式ナット板。
【請求項４６】
前記ナット部材のベース部分は、そこから延びた少なくとも１つのタブ部材を有した対向する端部を有し、前記固定手段は、前記ナット部材のタブ部材を受けるための少なくとも１つの開口を各前記側壁に有することを特徴とする請求項４３に記載のプリアセンブル式ナット板。
【請求項４７】
前記側壁の少なくとも１つは、柔軟な材料で形成され、前記少なくとも１つの側壁は、前記他の側壁から離れるように曲って、前記ナット部材のタブ部材が前記側壁の開口に受け入れられることを可能にすることを特徴とする請求項４６に記載のプリアセンブル式ナット板。
【請求項４８】
前記内壁は、周辺を有し、前記内壁は、前記周辺の周りが実質的に連続してテーパ付けされていることを特徴とする請求項３９に記載のプリアセンブル式ナット板。
【請求項４９】
前記内壁は、前記周辺全体に亘ってテーパ付けされていることを特徴とする請求項４８に記載のプリアセンブル式ナット板。
【請求項５０】
前記第１の端部の直径は、不変であり、前記第２の端部の直径は、不変であることを特徴とする請求項３９に記載のプリアセンブル式ナット板。
【請求項５１】
前記固定手段は、前記ブラケット部分内の三次元で前記ナットの制限された移動を可能にするものであることを特徴とする請求項３９に記載のプリアセンブル式ナット板。
【請求項５２】
リップ部分が前記第２の端部付近の前記内壁の実質的な周りに延び、前記開口の減少した直径部分が前記リップの間に設けられていることを特徴とする請求項３９に記載のプリアセンブル式ナット板。
【請求項５３】
プリアセンブル式ナット板であって、保持ブラケットと、ステムと、ナット部材と、固定手段とを備え、
保持ブラケットは、筒状部分とブラケット部分を有し、前記筒状部分は、第１の端部と第２の端部を有し、前記ブラケット部分は、前記筒状部分の第１の端部から延び、前記筒状部分は、いずれもが前記筒状部分の第１の端部から前記筒状部分の前記第２の端部に延びる外壁及び内壁を含み、前記外壁は、そこから外側へ延びる複数のローブを有し、前記複数のローブは、高いローブと低いローブを含み、前記高いローブは、前記低いローブよりもさらに前記外壁から外側に延び、各前記高いローブは、２つの低いローブの間に位置決めされ、各前記低いローブは、２つの高いローブの間に位置決めされ、前記内壁は、前記筒状部分を通って延びる開口によって規定され、前記内壁は、前記筒状部分の第１の端部における開口の直径が前記筒状部分の第２の端部における開口の直径よりも大きくなるようにテーパ付けされ、前記第１の端部の直径は、実質的に不変であり、前記第２の端部の直径は、実質的に不変であり、
ステムは、拡大ヘッド部分と、そこから延びた長尺部分とを有し、前記拡大ヘッド部分は、第１の端部付近の前記筒状部分の前記開口内の少なくとも一部に位置するように位置決めされ、前記第１の端部付近の前記筒状部分の前記開口に概ね補足的な形状を有し、前記長尺部分は、前記筒状部分を通り且つ前記筒状部分の第２の端部を超えて延び、前記長尺部分は、前記ステムの軸方向移動時に、前記筒状部分の内壁を拡張するために、前記筒状部分の前記開口を通ってその第１の端部から第２の端部に移動するように構成され、
前記ナット部材は、そこを通る開口を有し、前記ナット部材は、前記ブラケット内に位置決めされ、
固定手段は、前記ナット部材を前記ブラケット部分内に固定し、前記固定手段は、前記ブラケット部分内で前記ナット部材の制限された移動を可能にし、前記ブラケット部分内での前記ナット部材の固定は、前記ステムの実質的な移動を防止し、これにより前記ステムは前記ブラケット部分を通して前記筒状部分から取り外されないものであることを特徴とするプリアセンブル式ナット板。
【請求項５４】
ワークピースを通る開口によって規定された壁面にナット板を固定する方法であって、
ａ）ナットと、概ね筒状部分およびその第１の端部から延びたブラケット部分を有する保持ブラケットと、第１及び第２の端部を有し、第１の端部が拡大ヘッド部分を規定するステムとを備え、前記筒状部分は、前記筒状部分を通って設けられている開口部によって規定される外壁及び内壁を有し、前記内壁は、前記筒状部分の第１の端部付近に肩部を規定し、前記内壁は、前記肩部から前記筒状部分の第２の端部にかけてテーパ付けされ、前記外壁は、そこから外側へ延びる複数のローブを有し、前記高いローブは、前記低いローブよりもさらに前記外壁から外側に延びるように構成された前記ナット板を提供する工程と、
ｂ）前記ステムの前記第２の端部を前記筒状部分の開口に挿入して、前記ステムの拡大ヘッド部分が前記筒状部分の内壁の肩部上に位置決めされるようにする工程と、
ｃ）前記ナットを前記ブラケット部分内に配置する工程と、
ｄ）前記ナットを前記ブラケット部分の内部に固定して、前記ナットが前記ブラケット部分から外れることを防止するが、前記ナットが前記ブラケット部分の内部で自由に移動できるようにする工程と、
ｅ）前記筒状部分を前記ワークピースの開口内に挿入して、前記ブラケット部分の下面が前記ワークピースの上面に位置決めされるようにする工程と、
ｆ）前記ステムの前記第２の端部に力を加えて、前記ステムの拡大ヘッド部分を前記筒状部分の開口を通して移動させ、これにより前記開口のテーパ付けされた内壁が拡張されて、ローブを前記ワークピースの壁面に強制的に埋め込んで、前記筒状部分を前記ワークピースに固定して、前記高いローブを前記低いローブよりもさらにワークピースの壁面に埋め込む工程と
を備えることを特徴とする方法。
【請求項５５】
ｇ）前記ステムの拡大ヘッド部分を、前記内壁の拡張時に、前記テーパ付けされた内壁に関して幾何学的に関連したサイズに変形して、前記拡大ヘッド部分が前記テーパ付けされた内壁を拡張し続けるようにする工程を更に備えることを特徴とする請求項５４に記載の方法。
【請求項５６】
前記筒状部分の内壁は、前記筒状部分の第２の端部付近の前記開口内に延びるリップを更に規定し、リップは、前記第２の端部付近の前記開口の内径を減少することを特徴とする請求項５５に記載の方法。
【請求項５７】
各高いローブは、前記筒状部分の前記第２の端部からよりも前記ブラケット部分の下面付近に折り曲げ部分を有し、前記高いローブの前記折り曲げ部分は、前記高いローブの残りの部分よりもワークピースの壁面に埋め込まれていることを特徴とする請求項５４に記載の方法。
【請求項５８】
各高いローブは、二つの低いローブの間に位置し、各低いローブは、二つの高いローブの間に位置することを特徴とする請求項５４に記載の方法。
【請求項５９】
ワークピースを通る開口によって規定された壁面にプリアセンブル式ナット板を取り付ける方法であって、
前記プリアセンブル式ナット板は、保持ブラケットと、ステムと、ナット部材と、固定手段とを備え、
保持ブラケットは、概ね筒状部分とブラケット部分を有し、前記筒状部分は、第１の端部と第２の端部を有し、前記ブラケット部分は、前記筒状部分の第１の端部から延び、前記筒状部分は、そこを通して設けられた開口を有し、前記筒状部分の外壁は、そこから外側へ延びる複数の高いローブ及び低いローブを有し、前記高いローブは、前記低いローブよりもさらに前記外壁から外側に延び,
ステムは、拡大ヘッド部分と、そこから延びた長尺部分とを有し、前記拡大ヘッド部分は、前記筒状部分の第１の端部付近の開口内に位置決めされ、前記長尺部分は、前記筒状部分の前記開口を通り且つ前記筒状部分の第２の端部を超えて延び、
ナット部材は、そこを通る開口を有し、前記ナット部材は、前記ブラケット内に位置決めされ、
固定手段は、前記ナット部材を前記ブラケット部分内に固定し、前記固定手段は、前記ブラケット部分内で前記ナット部材の制限された移動を可能にし、前記ブラケット部分内での前記ナット部材の固定は前記ステムの実質的な移動を防止し、これにより前記ステムは前記ブラケット部分を通して前記筒状部分から取り外されないものであり、
前記方法は、
前記プリアセンブル式ナット板を与える工程と、
前記プリアセンブル式ナット板の保持ブラケットの筒状部分を前記ワークピースの開口内に挿入して、前記プリアセンブル式ナット板の保持ブラケットのブラケット部分の下面が前記ワークピースの上面に位置決めされるようにする工程と、
前記ステムの長尺部分に力を加えて、前記ステムの拡大ヘッド部分を前記筒状部分の開口を完全に通して移動させ、前記筒状部分を拡張して、前記ローブは、前記ワークピースの前記壁面に埋め込まれ、前記高いローブは、前記低いローブよりも前記ワークピースの壁面内に埋め込まれる工程と
を備えることを特徴とする方法。
【請求項６０】
前記筒状部分を通った前記開口は、前記筒状部分の内壁を規定し、前記内壁は、前記筒状部分の第１の端部から前記筒状部分の第２の端部までテーパ付けされていることを特徴とする請求項５９に記載の方法。
【請求項６１】
前記筒状部分の前記第１の端部付近の前記筒状部分の前記開口は、前記筒状部分の前記第２の端部付近の前記筒状部分の前記開口の直径よりも大きい直径を有することを特徴とする請求項６０に記載の方法。
【請求項６２】
前記筒状部分の内壁は、前記筒状部分の第２の端部付近の前記開口内に延びるリップを更に規定し、リップは、前記第２の端部付近の前記開口の内径をさらに減少することを特徴とする請求項６１に記載の方法。
【請求項６３】
各高いローブは、前記筒状部分の前記第２の端部からよりも前記ブラケット部分の下面付近に折り曲げ部分を有し、前記高いローブの前記折り曲げ部分は、前記高いローブの残りの部分よりもワークピースの壁面に埋め込まれていることを特徴とする請求項５９に記載の方法。
【請求項６４】
各高いローブは、二つの低いローブの間に位置し、各低いローブは、二つの高いローブの間に位置することを特徴とする請求項５９に記載の方法。
【請求項６５】
ワークピースを通る開口によって規定された壁面にプリアセンブル式ナット板を取り付ける方法であって、
前記プリアセンブル式ナット板は、概ね筒状部材と、ブラケット部材と、ステムと、ナット部材と、固定手段とを備え、
筒状部材は、第１の端部及び第２の端部を有し、前記筒状部材は、そこを通して設けられた開口を有し、前記筒状部材の外壁は、前記筒状部分の外壁は、そこから外側へ延びる複数の高いローブ及び低いローブを有し、前記高いローブは、前記低いローブよりもさらに前記外壁から外側に延び,
ブラケット部材は、前記筒状部材の前記第１の端部に関連して作動し、
ステムは、拡大ヘッド部分と、そこから延びた長尺部分とを有し、前記拡大ヘッド部分は、前記筒状部分の第１の端部付近の開口内に位置決めされ、前記長尺部分は、前記筒状部材の前記開口を通り且つ前記筒状部分の第２の端部を超えて延び、
ナット部材は、そこを通る開口を有し、前記ナット部材は、前記ブラケット内に位置決めされ、前記ナット部材の前記開口は、前記筒状部材の前記開口と連通し、
固定手段は、前記ナット部材を前記ブラケット部材内に固定し、前記固定手段は、前記ブラケット部材内で前記ナット部材の制限された移動を可能にし、前記ブラケット部材内での前記ナット部材の固定は前記ステムの実質的な移動を防止し、これにより前記ステムは前記ブラケット部材を通して前記筒状部分から取り外されないものであり、
前記方法は、
前記プリアセンブル式ナット板を与える工程と、
前記プリアセンブル式ナット板の筒状部材を前記ワークピースの開口内に挿入して、前記プリアセンブル式ナット板のブラケット部材の下面が前記ワークピースの上面に位置決めされるようにする工程と、
前記ステムの長尺部分に力を加えて、前記ステムの拡大ヘッド部分を前記筒状部材の開口を完全に通して移動させ、前記筒状部材を拡張して、前記ローブは、前記ワークピースの前記壁面に埋め込まれ、前記高いローブは、前記低いローブよりも前記ワークピースの壁面内に埋め込まれる工程と
を備えることを特徴とする方法。
【請求項６６】
前記筒状部材を通った前記開口は、前記筒状部材の内壁を規定し、前記内壁は、前記筒状部材の第１の端部から前記筒状部材の第２の端部までテーパ付けされていることを特徴とする請求項６５に記載の方法。
【請求項６７】
前記筒状部材の前記第１の端部付近の前記筒状部材の前記開口は、前記筒状部材の前記第２の端部付近の前記筒状部材の前記開口の直径よりも大きい直径を有することを特徴とする請求項６６に記載の方法。
【請求項６８】
前記筒状部材の内壁は、前記筒状部材の第２の端部付近の前記開口内に延びるリップを更に規定し、リップは、前記第２の端部付近の前記開口の内径をさらに減少することを特徴とする請求項６５に記載の方法。
【請求項６９】
各高いローブは、前記筒状部材の前記第２の端部からよりも前記ブラケット部分の下面付近に折り曲げ部分を有し、前記高いローブの前記折り曲げ部分は、前記高いローブの残りの部分よりもワークピースの壁面に埋め込まれていることを特徴とする請求項６５に記載の方法。
【請求項７０】
各高いローブは、二つの低いローブの間に位置し、各低いローブは、二つの高いローブの間に位置することを特徴とする請求項６５に記載の方法。